(57)【要約】【課題】  エレベーターの利用者が降車した階床を不審者に察知されず、また、利用者が降車後から部屋等に入るまでの間、不審者によるエレベーターの利用を抑止可能とする。【解決手段】  乗りかご１が登録した行先階へ走行して停止するときに前記行先階と異なる他の行先階の登録が無い場合、無作為に他の行先階を登録し、この登録した行先階に乗りかご１が走行して停止したときに、防犯運転を解除する。【選択図】  図１
2015117088.tif 000002
【特許請求の範囲】
【請求項１】
エレベーター停止時に乗りかご内運転盤の行先階釦を特殊操作することにより、乗り場に設置したかご位置表示装置に、前記停止時の停止階床を表示させる防犯運転を実施するエレベーターの防犯運転システムにおいて、前記乗りかごが登録した行先階へ走行して停止するときに前記行先階と異なる他の行先階の登録が無い場合、無作為に他の行先階を登録し、この登録した行先階に前記乗りかごが走行し停止したときに、前記防犯運転を解除することを特徴とするエレベーターの防犯運転システム。
【請求項２】
請求項１記載のエレベーターの防犯運転システムにおいて、前記行先階釦の特殊操作とは前記乗りかご停止階の前記行き先釦を所定の時間以上押圧する操作とすることを特徴とするエレベーターの防犯運転システム。
【発明の詳細な説明】
【技術分野】
【０００１】
本発明は、エレベーターの防犯運転システムに関する。
【背景技術】
【０００２】
エレベーターの防犯運転システムとしては、情報を記憶したカードの情報を読み取る読取装置と、前記カードが前記読取装置に挿入されると所望の行先階まで専用運転に切替える運転手段と、前記カードが前記読取装置に挿入されたときに作動して専用運転の解除が行われてから前記かごが他階に到着するまで乗場でかご位置を表示する表示装置の表示動作を阻止する阻止手段を設けたエレベーター防犯装置が知られている(特許文献１参照)。
【０００３】
また、エレベーターの乗り場に設けた乗り場呼び釦の特殊操作で、かごの呼び寄せを可能としたエレベーターの防犯運転装置において、乗り場呼び釦に特殊な操作を検出すると、エレベーター乗り場に設置したかご位置表示灯に、かご位置と異なる階床の表示灯を点灯、乗り場呼び、かご呼びが共にリセットされると再び正常な階床情報を表示する表示手段を備えたエレベーター防犯運転装置が知られている（特許文献２参照）。
【先行技術文献】
【特許文献】
【０００４】
【特許文献１】特開平２−２０４２８３号公報
【特許文献２】特開２００４−１５５５５９号公報
【発明の概要】
【発明が解決しようとする課題】
【０００５】
従来技術の特許文献１においては、情報を記憶したカードの情報を読み取る読取装置を新たに追加しなければならないという問題がある。さらに、表示装置の表示動作を阻止する阻止手段の作動中は、かご位置表示がすべて消灯となるため、利用者が故障と勘違いするという問題がある。
【０００６】
また、特許文献２においては、特殊操作により表示灯を点灯、乗り場呼び、かご呼びがともに無くなった場合に、再び正常な階床情報を表示する仕組みとなっているが、乗り場呼び、かご呼びが無くなったと同時にエレベーター防犯運転が解除されるため、例えば、特殊操作を実施してから、利用者が乗りかごに乗り込み、目的の階床のかご呼びを登録してから目的階に到着するまで、一度も乗り場呼びがなく、かご呼びがリセットされた場合、正常な階床表示に戻った瞬間に、利用者の到着階が不審者に知られるという問題がある。また、目的階でエレベーターを降車した利用者が部屋に入るまでの間に、不審者がエレベーターを使用して利用者を追跡できてしまうという問題がある。
【０００７】
本発明の目的は、新たに付加装置を追加することなく、利用者が不審者に到着階を知られないようにすること、および、エレベーター降車した利用者が部屋に入るまでの間に、不審者がエレベーターを使用して利用者を追跡できないようにすることにより、不審者による利用者の追跡を抑止し、利用者の安全を確保することができるエレベータ一防犯運転システムを簡便な方法で提供することにある。
【課題を解決するための手段】
【０００８】
上記目的を達成するために、本発明は、エレベーター停止時に乗りかご内運転盤の行先階釦を特殊操作することにより、乗り場に設置したかご位置表示装置に、前記停止時の停止階床を表示させる防犯運転を実施するエレベーターの防犯運転システムにおいて、前記乗りかごが登録した行先階へ走行し停止するときに前記行先階と異なる他の行先階の登録が無い場合、無作為に他の行先階を登録し、この登録した行先階に前記乗りかごが走行して停止したときに、前記防犯運転を解除することを特徴とする。
【発明の効果】
【０００９】
本発明によれば、行先階釦にて指定した目的階に到着後、かご内の行先階釦が登録されていない場合、無作為に他の階床を登録するようにしたので、目的階でエレベーターを降車した利用者が部屋に入るまでの間に、不審者がエレベーターを使用して利用者を追跡することを防止することができ、また、無作為に、エレベーターを別の階床に運転した後にエレベーター防犯運転を解除することで、利用者が不審者に到着階を知られないようにすることができるため、不審者による利用者の追跡を抑止し、利用者の安全を確保することができるエレベーター防犯運転システムを提供することができる。
【図面の簡単な説明】
【００１０】
【図１】本発明に係るエレベーター防犯運転システムの一実施形態の概要を示す構成図である。
【図２】本発明に係るエレベーター防犯運転システムの一実施形態の概要を示すフローチャートである。
【発明を実施するための形態】
【００１１】
以下、本発明に係るエレベーター防犯運転システムの一実施形態を図１に基づいて説明する。
【００１２】
図１において、乗りかご１と釣り合い重り２は主ロープ３を介して接続され、乗りかご１を昇降させるため主ロープ３を駆動する巻上機４は、エレベーター制御装置５により回転制御され、乗りかご１は１階から４階へ昇降することができる。
【００１３】
乗りかご１には、かご内かご位置表示装置６と行先階釦７とドア開閉釦８が備えられ、エレベーター制御装置５と図示しない通信ケーブルにより接続されている。また、エレベーター制御装置５には、各階に設置した乗り場がご位置表示装置９と乗り場呼び釦１０が接続されている。
【００１４】
行先階釦７、乗り場呼び釦１０の信号は、エレベーター制御装置５に入力される。また、エレベーター制御装置５は、かご内かご位置表示装置６および乗り場かご位置表示装置９へ乗りかご１の位置表示信号を出力している。
【００１５】
今、エレベーターの利用者（図示せず）は、乗りかご１にて１階から２階へ移動するため、１階の乗場釦を押圧し、乗りかご１を１階へ呼び寄せて乗りかご１に乗り込む。
【００１６】
利用者は乗りかご１に乗り込むと、乗りかご１が１階停止中に利用者が１階の行先階釦７を押し続けると、エレベーター制御装置５は乗りかご１の現停止階床の１階の行先階釦７の長押しを検出し、エレベーター防犯運転開始と判断し、エレベーター制御装置５は、乗り場かご位置表示装置９に対して、現停止階床の１階を表示させ続ける制御を行う。
【００１７】
次に、利用者は２階へ移動するため、２階の行先階釦７を押圧し、行先階２階を登録しする。これにより２階の行先階釦７の応答灯（図示せず）が点灯し、乗りかご１が２階へ走行する。
【００１８】
乗りかご１が２階に到着し、このとき、乗り場かご位置表示装置９はエレベータ一防犯運転設定階床の１階を表示し、かご内かご位置表示装置６は到着階床の２階を表示している。先ほど利用者が登録した行先階２階の登録は解消され、２階の行先階釦７の応答灯が消灯し、停止した乗りかご１の扉（図示せず）が開閉し利用者が乗降する。
【００１９】
行先階２階の登録が解消されたときに、同乗者が無く他の階の行先階の登録が無い場合、エレベーター制御装置５は、無作為に２階を除く他の階を行先階として１つだけ登録する。これにより乗りかご１が、無作為に登録された行先階に到着後、エレベーター防犯運転は解除となり、エレベーター制御装置５は、乗り場かご位置表示装置９に乗りかご１の現停止階を表示させ、乗りかご１の正常な階床位置を表示させる。
【００２０】
以下、本発明に係るエレベーター防犯運転システムの処理内容を、図２のフローチャートを使用し説明する。
【００２１】
手順Ｓ１で、エレベーター制御装置５は、乗りかご１の停止階の行先階釦７の長押しの有無を確認する。長押しがなかった場合（手順Ｓ１でＮＯ）、エレベーター防犯運転は実施されず、手順Ｓ１を繰返し実施する。
【００２２】
乗りかご１の停止階の行先階釦７の長押しがあった場合（手順Ｓ１でＹＥＳ）、手順Ｓ２において、防犯運転を開始し乗り場かご位置表示装置９の階床表示を、手順Ｓ１において停止していた階の階床表示とする。本実施例では１階となる。
【００２３】
次に、手順Ｓ３において、利用者は行先階釦７を押圧し行先階を登録する。次に、手順Ｓ４において乗りかご１は直近の登録された行先階へ走行し停止する。このとき、手順Ｓ５において、停止した行先階の登録を解消し、行先階釦７の応答灯を消灯する。
【００２４】
次に、手順Ｓ６において、他の行先階登録の有無を確認する。他の行先階の登録がある場合（手順Ｓ６でＹＥＳ）、手順Ｓ４を繰返し実施する。他の行先階の登録が無い場合（手順Ｓ６でＮＯ）、手順Ｓ７において、乗りかご１の停止している階床以外の階床の行先階を無作為に１つ登録する。
【００２５】
手順Ｓ８において、手順Ｓ７で作成した行先階登録に応答した運転を行い、停止する。
【００２６】
次に、手順Ｓ９において、手順Ｓ７で登録した行先階の登録を解消し、行先階釦７の応答灯を消灯し、防犯運転を終了する。
【００２７】
以上のようにしたので、目的階でエレベーター降車した利用者が部屋に入るまでの間に、不審者がエレベーターを使用して利用者を追跡することを防止することができ、また、利用者が不審者に到着階を知られないようにすることができるため、不審者による利用者の追跡を抑止し、利用者の安全を確保することができるエレベーター防犯運転システムを簡便な方法で提供することができる。
【符号の説明】
【００２８】
１  乗りかご
２  釣り合い重り
３  主ロープ
４  巻上機
５  エレベーター制御装置
６  かご内かご位置表示装置
７  行先階釦
８  ドア開閉釦
９  乗り場かご位置表示装置
１０  乗り場呼び釦
【図１】
2015117088.tif 000003
【図２】
2015117088.tif 000004